(57)【要約】【課題】連結時の安定性をより向上させた仮設足場用連結構造体を提供する。【解決手段】支柱１の円周面２から突設されたくさび受け５に対して、連結パイプＰが固設されくさび受けの上下に配置される上側部材２０及び下側部材３０とを備えてくさび受けの筒部７と連通する連通部２５，３５が形成された連結部材１１を、連通部と筒部に対して貫通楔着されるくさび部材４０によって固定する構造であって、連結部材の上側部材及び下側部材の前当部２２，３２にはその前面が支柱の円周面と当接し受容する連通部内方への湾曲部２３，３３が形成されているとともに、くさび部材のくさび挿入方向には長溝部４５が形成されていて、湾曲部の後面が該長溝部内に当接するように構成されている。【選択図】図１
2019167811.tif 000002
【特許請求の範囲】
【請求項１】
支柱の円周面から突設された筒壁面によって支柱方向の筒部が形成されたくさび受けに対して、連結パイプが固設され前記くさび受けの上下に配置される上側部材及び下側部材とを備え内側には前記くさび受けの筒部と連通する連通部が形成された連結部材を、前記連結部材の連通部とくさび受けの筒部に対して貫通楔着されるくさび部材によって固定する構造であって、
前記連結部材の上側部材及び下側部材の支柱側に位置する前当部にはその前面が前記支柱の円周面と当接し受容する連通部内方への湾曲部が形成されているとともに、
前記くさび部材のくさび挿入方向には長溝部が形成されていて、前記連結部材の上側部材及び下側部材の前当部の湾曲部の後面が該長溝部内に当接するように構成されている
ことを特徴とする仮設足場用連結構造体。
【請求項２】
前記くさび部材の長溝部の溝縁部に傾斜面が形成され、前記くさび部材の楔着時に前記連結部材の上側部材又は下側部材の少なくとも一方の前当部の湾曲部の後面が前記傾斜面と当接嵌入されている請求項１に記載の仮設足場用連結構造体。
【請求項３】
前記連結部材の上側部材及び下側部材の両方の前当部の湾曲部の後面が前記くさび部材の長溝部の傾斜面と当接嵌入されている請求項２に記載の仮設足場用連結構造体。
【請求項４】
前記くさび部材の長溝部が前記連結部材の上側部材に設けられた抜け止めバンド部に遊嵌係着されている請求項１ないし３のいずれか１項に記載の仮設足場用連結構造体。
【請求項５】
前記連結部材の連結パイプ固定部に連結パイプの前端が貫通して固設されている請求項１ないし４のいずれか１項に記載の仮設足場用連結構造体。
【請求項６】
前記くさび部材の後面に凹状のパイプ受け部が形成されている請求項１ないし５のいずれか１項に記載の仮設足場用連結構造体。
【請求項７】
前記くさび部材の先端面に前面側から後面側にかけて先端凹面部が形成されている請求項１ないし６のいずれか１項に記載の仮設足場用連結構造体。
【発明の詳細な説明】
【技術分野】
【０００１】
本発明は、支柱に設けられたくさび受けに対して、連結パイプが固設された連結部材をくさび部材によって固定する仮設足場用連結構造体に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に連結パイプが手すりとして先行して設置される。
【０００３】
手すりである連結パイプの設置に際しては、例えば、図１９に示すように、支柱１から突設されて支柱方向の筒部７が形成されたくさび受け５に対し、基部１１５に連結パイプＰが固設されてくさび受け５の筒部７と連通する連通部１２５，１３５が形成された側面視略コ字状の連結部材１１１が配置されて、連結部材１１１の連通部１２５，１３５とくさび受け５の筒部７に対して貫通楔着されるくさび部材１４０により固定される連結構造体１００が用いられる（例えば、特許文献１参照）。
【０００４】
この連結構造体１００において、連結部材１１１は、基部１１５の上端から延出してくさび受け５の上端に載置される上取付片１２０と、基部１１５の下端から延出してくさび受け５の下方に配置される下取付片１３０と、上取付片１２０と下取付片１３０とを一体に接続する接続片１１２と、上取付片１２０の下端から下方に突出されてくさび受け５の筒部７内に挿入される突片１１３と、基部１１５から上取付片１２０方向へ突出する突出部１５０とを有する。また、くさび部材１４０は、基部１１５側に上下方向に延びて接続部材１１１の突出部１５０が摺動自在に内嵌される凹状の長溝部１４５と、長溝部１４５の下端側を閉塞して形成された下側ストッパ部１４６と、長溝部１４５の下端に形成された貫通孔１４７と、くさび部材１４０の上端側に形成された上側ストッパ部１４８とを有する。
【０００５】
上記連結構造体１００では、くさび部材１４０を連結部材１１１の上取付片１２０の連通部１２５からくさび受け５の筒部７を経て下取付片１３０の連通部１３５へ挿通させることにより、くさび部材１４０が連結部材１１１とくさび受け５との間に楔着されて固定される。また、くさび部材１４０の挿通に際しては、くさび部材１４０の長溝部１４５に基部１１５から突出する突出部１５０が内嵌されていることにより、くさび部材１４０が突出部１５０に対して長溝部１４５を摺動させながら落下するため、くさび部材１４０は突出部１５０に進行方向を案内されて斜行することがない。
【０００６】
しかしながら、上記連結構造体では、くさび受け５をくさび部材１４０と連結部材１１１の接続片１１２との挟持のみで固定するため、連結時の安定性が高いとは言いがたい。そこで、仮設足場設置の効率化やより高い安全性の確保等の観点から、連結パイプの連結時の安定性の更なる向上が求められる。
【先行技術文献】
【特許文献】
【０００７】
【特許文献１】特開２０１５−４８６７７号公報
【発明の概要】
【発明が解決しようとする課題】
【０００８】
本発明は前記の点に鑑みなされたものであり、連結時の安定性をより向上させた仮設足場用連結構造体を提供するものである。
【課題を解決するための手段】
【０００９】
すなわち、請求項１の発明は、支柱の円周面から突設された筒壁面によって支柱方向の筒部が形成されたくさび受けに対して、連結パイプが固設され前記くさび受けの上下に配置される上側部材及び下側部材とを備え内側には前記くさび受けの筒部と連通する連通部が形成された連結部材を、前記連結部材の連通部とくさび受けの筒部に対して貫通楔着されるくさび部材によって固定する構造であって、前記連結部材の上側部材及び下側部材の支柱側に位置する前当部にはその前面が前記支柱の円周面と当接し受容する連通部内方への湾曲部が形成されているとともに、前記くさび部材のくさび挿入方向には長溝部が形成されていて、前記連結部材の上側部材及び下側部材の前当部の湾曲部の後面が該長溝部内に当接するように構成されていることを特徴とする仮設足場用連結構造体に係る。
【００１０】
請求項２の発明は、前記くさび部材の長溝部の溝縁部に傾斜面が形成され、前記くさび部材の楔着時に前記連結部材の上側部材又は下側部材の少なくとも一方の前当部の湾曲部の後面が前記傾斜面と当接嵌入されている請求項１に記載の仮設足場用連結構造体に係る。
【００１１】
請求項３の発明は、前記連結部材の上側部材及び下側部材の両方の前当部の湾曲部の後面が前記くさび部材の長溝部の傾斜面と当接嵌入されている請求項２に記載の仮設足場用連結構造体に係る。
【００１２】
請求項４の発明は、前記くさび部材の長溝部が前記連結部材の上側部材に設けられた抜け止めバンド部に遊嵌係着されている請求項１ないし３のいずれか１項に記載の仮設足場用連結構造体に係る。
【００１３】
請求項５の発明は、前記連結部材の連結パイプ固定部に連結パイプの前端が貫通して固設されている請求項１ないし４のいずれか１項に記載の仮設足場用連結構造体に係る。
【００１４】
請求項６の発明は、前記くさび部材の後面に凹状のパイプ受け部が形成されている請求項１ないし５のいずれか１項に記載の仮設足場用連結構造体に係る。
【００１５】
請求項７の発明は、前記くさび部材の先端面に前面側から後面側にかけて先端凹面部が形成されている請求項１ないし６のいずれか１項に記載の仮設足場用連結構造体に係る。
【発明の効果】
【００１６】
請求項１の発明に係る仮設足場用連結構造体は、支柱の円周面から突設された筒壁面によって支柱方向の筒部が形成されたくさび受けに対して、連結パイプが固設され前記くさび受けの上下に配置される上側部材及び下側部材とを備え内側には前記くさび受けの筒部と連通する連通部が形成された連結部材を、前記連結部材の連通部とくさび受けの筒部に対して貫通楔着されるくさび部材によって固定する構造であって、前記連結部材の上側部材及び下側部材の支柱側に位置する前当部にはその前面が前記支柱の円周面と当接し受容する連通部内方への湾曲部が形成されているとともに、前記くさび部材のくさび挿入方向には長溝部が形成されていて、前記連結部材の上側部材及び下側部材の前当部の湾曲部の後面が該長溝部内に当接するように構成されているため、連結時における連結部材のがたつき等が発生しにくくなり、適切な位置での安定的な連結が可能となる。
【００１７】
請求項２の発明は、請求項１において、前記くさび部材の長溝部の溝縁部に傾斜面が形成され、前記くさび部材の楔着時に前記連結部材の上側部材又は下側部材の少なくとも一方の前当部の湾曲部の後面が前記傾斜面と当接嵌入されているため、くさび部材の挿入時及び楔着時の安定性が向上する。
【００１８】
請求項３の発明は、請求項２において、前記連結部材の上側部材及び下側部材の両方の前当部の湾曲部の後面が前記くさび部材の長溝部の傾斜面と当接嵌入されているため、くさび部材の挿入時及び楔着時の安定性がさらに向上する。
【００１９】
請求項４の発明は、請求項１ないし３において、前記くさび部材の長溝部が前記連結部材の上側部材に設けられた抜け止めバンド部に遊嵌係着されているため、連結部材からのくさび部材の脱落を防止するとともに、くさび部材の安定した挿入が可能となって作業効率が向上する。
【００２０】
請求項５の発明は、請求項１ないし４において、前記連結部材の連結パイプ固定部に連結パイプの前端が貫通して固設されているため、連結パイプの取り付け位置を微調整して固設することが可能となる。
【００２１】
請求項６の発明は、請求項１ないし５において、前記くさび部材の後面に凹状のパイプ受け部が形成されているため、連結解除時にくさび部材を連結パイプ上に安定して載置させることができ、連結解除状態を維持しやすくなる。
【００２２】
請求項７の発明は、請求項１ないし６において、前記くさび部材の先端面に前面側から後面側にかけて先端凹面部が形成されているため、くさび部材の挿入時に先端部と連結部材の上側部材や下側部材との引っかかりや衝突等が発生しにくくなって円滑に挿入させることができる。
【図面の簡単な説明】
【００２３】
【図１】本発明の一実施形態に係る仮設足場用連結構造体の連結解除時の斜視図である。
【図２】図１の仮設足場用連結構造体の連結時の斜視図である。
【図３】図２の仮設足場用連結構造体の連結時の要部の縦断面図である。
【図４】図３の仮設足場用連結構造体のＡ−Ａ断面図である。
【図５】連結部材の斜視図である。
【図６】くさび部材の斜視図である。
【図７】図２の仮設足場用連結構造体の連結時の要部の切り欠き斜視図である。
【図８】図２の仮設足場用連結構造体のくさび部材の楔着時における連結部材の湾曲部近傍の拡大断面図である。
【図９】抜け止めバンド部を有する仮設足場用連結構造体の連結解除時の斜視図である。
【図１０】図９の仮設足場用連結構造体の連結時の斜視図である。
【図１１】図１０の仮設足場用連結構造体の連結時の要部の縦断面図である。
【図１２】抜け止めバンド部を有する連結部材の斜視図である。
【図１３】図１０の仮設足場用連結構造体の連結時の要部の切り欠き斜視図である。
【図１４】くさび部材が凹状の長溝部を有する仮設足場用連結構造体の連結時の要部の切り欠き斜視図である。
【図１５】図１４の仮設足場用連結構造体の連結時の要部の縦断面図である。
【図１６】図１４の仮設足場用連結構造体のくさび部材の楔着時における連結部材の湾曲部近傍の拡大断面図である。。
【図１７】くさび部材がパイプ受け部と先端凹面部を有する仮設足場用連結構造体の縦断面図である。
【図１８】図１７のくさび部材の斜視図である。
【図１９】従来の連結構造体の連結時の要部の縦断面図である。
【発明を実施するための形態】
【００２４】
図１，２に示す本発明の一実施形態に係る仮設足場用連結構造体１０は、建築物の工事等に際して建築物の外周に設置される仮設足場用の支柱１に対し、手すり等を構成する連結パイプＰを連結させて支柱間に架設させるための構造体である。連結パイプＰは、横架材、水平材、斜材等の適宜の棒状部材である。
【００２５】
仮設足場用の支柱１は、図１に示すように、円周面２の複数個所にくさび受け５が取り付けられている。この支柱１は、施工現場等において所定間隔で複数本立設される。くさび受け５は、図１，２に示すように、連結構造体１０が連結される部材であって、支柱１の円周面２から突設された筒壁面６によって支柱方向の貫通孔である筒部７が形成される。複数のくさび受け５は、支柱１の周囲に９０度ずつ４箇所配置され、これらを１組として支柱１の軸方向に適宜の間隔で複数設けられる。図において、符号６ａは支柱１の円周面２から対向して突設されたくさび受け５の筒側壁部、６ｂは対向する筒側壁部６ａ，６ａと一体に形成されて下方側が支柱方向へ傾斜するくさび受け５の筒傾斜壁部である。なお、図１では、連結構造体１０と接続しているくさび受け５以外のくさび受けは図示を省略している。
【００２６】
本発明の第１実施形態に係る仮設足場用連結構造体１０は、図２〜４に示すように、支柱１に突設されたくさび受け５に対して、連結パイプＰが固設された連結部材１１をくさび部材４０によって固定する。この連結構造体１０は、連結パイプＰの両端に取り付けられる。
【００２７】
連結部材１１は、図２，３，５に示すように、くさび受け５の上下に配置される上側部材２０及び下側部材３０とを備え、上側部材２０と下側部材３０とが接続片部１２により接続されて側面視略コ字状に形成されるとともに、接続片部１２に連結パイプＰが固設される連結パイプ固定部１５が設けられている。図において、符号１３はくさび受け５への連結時にくさび受け５の筒壁面６の筒傾斜壁部６ｂに当接または近接する接続片部１２の傾斜辺部である。
【００２８】
連結パイプ固定部１５は、図１〜３，５に示すように、接続片部１２の上側部材２０及び下側部材３０と反対側の端部に設けられ、連結パイプＰが嵌挿可能なパイプ用孔部１６を有している。この連結パイプ固定部１５には、連結パイプＰがパイプ用孔部１６に嵌挿され、連結パイプＰの前端Ｐ１が内部側に貫通されて、溶接等の適宜の手法により固設される。このように連結パイプ固定部１５では、連結パイプＰが貫通した状態で取り付けられるため、連結パイプＰへの連結構造体１０の取り付け位置を微調整して固設することが可能となる。従って、製造時の誤差等により連結パイプＰの長さにばらつきがある場合でも、連結パイプＰの両端に連結構造体１０，１０を一定の間隔で取り付けやすくなる。
【００２９】
上側部材２０は、図１〜５に示すように、くさび受け５の筒壁面６の筒側壁部６ａ，６ａ上に載置される上側片部２１，２１と、上側片部２１，２１にその支柱１側に位置して一体に形成された上前当部２２とを有し、その内側にくさび受け５の筒部７と連通する上連通部２５が形成される。上前当部２２には、その前面が支柱１の円周面２と当接し受容するように上連通部２５内方へ湾曲した上湾曲部２３が形成されている。また、図３，５に示すように、上前当部２２の下端側は、下方へ向かって幅が縮小するように垂下した垂下部２４からなり、くさび受け５への連結時に垂下部２４がくさび受け５の筒部７内へ進入する。
【００３０】
下側部材３０は、図１〜３，５に示すように、くさび受け５の筒壁面６の筒側壁部６ａ，６ａ下方に配置される下側片部３１，３１と、下側片部３１，３１にその支柱１側に位置して一体に形成された下前当部３２とを有し、その内側に上側部材２０の上連通部２５及びくさび受け５の筒部７と連通する下連通部３５が形成される。下前当部３２には、その前面が支柱１の円周面２と当接し受容するように下連通部３５内方へ湾曲した下湾曲部３３が形成されている。この下側部材３０では、上側部材２０の上側片部２１，２１の連結パイプ側と、下側片部３１，３１の連結パイプ側においてそれぞれ接続片部１２，１２により一体に接続されている。
【００３１】
くさび部材４０は、図２，３，４，６，７に示すように、連結部材１１の連通部２５，３５とくさび受け５の筒部７に対して貫通楔着されて、くさび受け５に対して連結部材１１を固定する部材であって、くさび本体４１と、長溝部４５とを有する。くさび本体４１は、図３，６に示すように、支柱側の面が直線状に形成された直線部４２と、くさび受け側の面が先端部方向へ縮小するように逆テーパ状に傾斜状に形成されたくさび傾斜部４３とを有するくさび形状からなる。くさび傾斜部４３は、図３に示すように、くさび受け５の筒傾斜壁部６ｂの傾斜に対応して形成され、くさび部材４０の楔着時にくさび受け５の筒傾斜壁部６ｂに圧接される。
【００３２】
長溝部４５は、図３，６に示すように、くさび部材４０のくさび挿入方向に後端側から先端側にわたって直線状に延設される。この長溝部４５は、少なくともくさび本体４１の支柱側の面に設けられる。図示の実施形態の長溝部４５は、くさび本体４１の支柱側（前面側）からくさび受け側（後面側）にわたって貫通した貫通溝４５ａである。この長溝部４５では、図３，７に示すように、くさび部材４０の楔着時に連結部材１１の上側部材２０及び下側部材３０の前当部２２，３２の湾曲部２３，３３の後面が当接される。その際、図８に示すように、連結部材１１の連通部２５（３５）内方へ湾曲した湾曲部２３（３３）の頂点２３ａ（３３ａ）近傍が長溝部４５の内部に受容され、両側の湾曲部２３（３３）のすそ２３ｂ，２３ｂ（３３ｂ，３３ｂ）側において長溝部４５の溝縁部４６が当接される。そのため、くさび部材４０が挿入時及び楔着時に位置決めされて、がたつきの発生が抑制される。なお、長溝部４５では、溝幅は適宜であるが、例えば、湾曲部２３，３３の後面との当接位置が湾曲部２３，３３と支柱１の円周面２との当接位置より外側となる程度の幅とすることが当接時の安定性の観点から好ましい。
【００３３】
長溝部４５では、図６〜８に示すように、溝縁部４６に傾斜面４７が形成され、くさび部材４０の楔着時に連結部材１１の上側部材２０または下側部材３０の少なくとも一方の前当部２２，３２の湾曲部２３，３３の後面が傾斜面４７と当接嵌入されることが好ましい。より好ましくは、傾斜面４７に連結部材１１の上側部材２０及び下側部材３０の両方の前当部２２，３２の湾曲部２３，３３の後面が当接嵌入される。このように、長溝部４５に傾斜面４７を形成することにより、連結部材１１の湾曲部２３，３３がより確実に長溝部４５内部に受容されて、くさび部材４０の挿入時及び楔着時の安定性が向上する。
【００３４】
次に、本発明の仮設足場用連結構造体１０の連結手順について説明する。まず、図１に示す連結解除時は、連結構造体１０の連結部材１１がくさび受け５に対して固定されず、離隔可能な状態となっている。連結解除時において、くさび部材４０は、連結部材１１の連通部２５，３５から抜き取られている。
【００３５】
連結構造体１０をくさび受け５に対して連結する際には、図２，３に示すように、連結部材１１がくさび受け５にはめ込まれ、連結部材１１の上側部材２０がくさび受け５上に載置されるとともに、下側部材３０がくさび受け５の下方に配置される。その際、図４，８に示すように、連結部材１１の上側部材２０及び下側部材３０の前当部２２，３２に形成された湾曲部２３，３３の前面が、支柱１の円周面２に対して受容するように当接される。そのため、支柱１と当接する連結部材１１の安定性が向上する。また、図３，７に示すように、連結部材１１の上側部材２０では、上前当部２２の垂下部２４がくさび受け５の筒部７内に進入することにより、はめ込み時に連結部材１１のおよその連結位置が規定されるため、連結部材１１の位置決めが容易となる。
【００３６】
このように位置決めされた連結部材１１では、上側部材２０の上連通部２５と、くさび受け５の筒部７と、下側部材３０の下連通部３５とが上下に貫通するように連通される。そして、図２，３，４，７に示すように、連通された連結部材１１の上連通部２５とくさび受け５の筒部７と連結部材１１の下連通部３５に対して、くさび部材４０が貫通楔着される。
【００３７】
ここで、くさび部材４０は、挿入時において、図８に示すように、連結部材１１の上側部材２０の上湾曲部２３や下側部材３０の下湾曲部３３の後面が長溝部４５内に当接されて摺動される。そのため、くさび部材４０が位置決めされて、安定して挿入させることができる。特に、長溝部４５に傾斜面４７が形成されることにより、連結部材１１の湾曲部２３，３３の後面が傾斜面４７に当接嵌入されるため、くさび部材４０の安定性がさらに高まる。このように、くさび部材４０が安定して挿入可能であることにより、作業性が向上して効率化を図ることができる。
【００３８】
連結部材１１の上連通部２５とくさび受け５の筒部７と連結部材１１の下連通部３５とに挿入されたくさび部材４０は、図３，４，７に示すように、くさび受け５の筒傾斜壁部６ｂと連結部材１１の前当部２２，３２との間に差し込まれる。この時、くさび本体４１の支柱側の面である直線部４２は、長溝部４５に連結部材１１の湾曲部２３，３３が当接嵌入されていることにより、連結部材１１の前当部２２，３２に近接または当接される。また、くさび本体４１のくさび受け側の面であるくさび傾斜部４３は、くさび受け５の筒傾斜壁部６ｂの傾斜に対応して当接される。
【００３９】
この状態からハンマー等によりくさび部材４０の後端側（上側）から差し込み方向へ打ち付けることにより、くさび本体４１のくさび傾斜部４３がくさび受け５の筒傾斜壁部６ｂに圧接されて楔着される。この時、くさび部材４０は支柱方向へ押圧されて、長溝部４５（傾斜面４７）が連結部材１１の湾曲部２３，３３に圧接される。そして、図８に示すように、連結部材１１の湾曲部２３（３３）は、前面側において当接された支柱１の円周面２と、後面側において支柱１の円周面２との当接部分より外側の湾曲部２３（３３）のすそ２３ｂ，２３ｂ（３３ｂ，３３ｂ）側で当接されたくさび部材４０の長溝部４５の両溝縁部４６，４６（傾斜面４７，４７）とで挟持された状態となる。そのため、連結時における連結部材１１のがたつき等が発生しにくくなり、適切な位置での安定的な連結が可能となる。
【００４０】
このように連結された連結構造体１０の連結を解除する場合には、くさび部材４０の先端側（下側）からハンマー等により差し込み方向の反対側へ打ち付けることにより、くさび本体４１の圧接が解除されて容易にくさび部材４０を抜き取ることができる。
【００４１】
図９〜１１は、第２実施形態に係る仮設足場用連結構造体１０Ａである。この連結構造体１０Ａでは、くさび部材４０の長溝部４５が連結部材１１の上側部材２０に設けられた抜け止めバンド部５０に遊嵌係着されている。なお、以下の説明において、第１実施形態と同一符号は同一の構成を表すものとして、その説明を省略する。
【００４２】
抜け止めバンド部５０は、図１１，１２に示すように、連結パイプ固定部１５の上端部と上側部材２０の上前当部２２の上端部との間に架設される板状部材である。この抜け止めバンド部５０は、図９〜１１に示すように、くさび部材４０の貫通溝４５ａである長溝部４５に遊嵌係着されて、連結部材１１からのくさび部材４０の脱落を防止するとともに、くさび部材４０のくさび挿入方向を規制する。
【００４３】
実施形態の抜け止めバンド部５０は、図１１，１２に示すように、連結パイプ固定部１５の上端部に一体に形成された帯状部材である。この抜け止めバンド部５０は、くさび部材４０の長溝部４５が遊嵌されるとともに、上側部材２０の上前当部２２方向へ折り曲げられて、溶接等の適宜の手法により先端部が上前当部２２の上端に固定されて架設される。図３，５において、符号５１は連結パイプ固定部１５の上端部から上方へ延設された縦帯状部、５２は抜け止めバンド部５０の折曲部、５３は連結部材１１の上連通部２５をまたぐように配置されてくさび部材４０の長溝部４５に遊嵌される横帯状部、５５は抜け止めバンド部５０の横帯状部５３を溶接した溶接部である。
【００４４】
連結構造体１０Ａでは、くさび部材４０の長溝部４５に連結部材１１の上側部材２０に架設された抜け止めバンド部５０が遊嵌されているため、連結部材１１から脱落することがなく、紛失等のおそれがない。そこで、例えば、図９に示す連結解除時において、くさび部材４０を連結パイプＰ上に載置することができる。この連結構造体１０Ａにあっては、くさび部材４０の長溝部４５に遊嵌された抜け止めバンド部５０が、縦帯状部５１により横帯状部５３が連結パイプ固定部１５の上端部から上方へ離隔された位置で架設されている。そのため、連結部材１１の上部側からくさび部材４０を連結パイプＰの筒方向へ引き下げることが可能となり、連結パイプＰ上にくさび部材４０を脱落させることなく適切に載置させることができる。これにより、くさび部材４０が連結パイプＰから不必要に突出することがなく、作業の妨げになるおそれがない。
【００４５】
また、連結構造体１０Ａの連結時では、図１０，１１に示すように、くさび部材４０の長溝部４５に抜け止めバンド部５０が遊嵌されていることにより、くさび部材４０は上下方向に略直動される。そのため、楔着に際して、くさび部材４０のくさび挿入方向が規制されて、安定してくさび部材４０を挿入させることができる。この挿入時において、くさび部材４０は、図８に示す第１実施形態と同様に、連結部材１１の上側部材２０の上湾曲部２３や下側部材３０の下湾曲部３３の後面が長溝部４５内に当接されて摺動される。そのため、くさび部材４０は、抜け止めバンド部５０によるくさび挿入方向の規制とともに、長溝部４５と連結部材の湾曲部２３，３３とによる位置決めによって、より安定した挿入が可能となる。特に、長溝部４５に傾斜面４７が形成されることにより、さらにくさび部材４０の安定性が高められる。従って、くさび部材４０の挿入時の優れた安定性が得られ、作業性がより向上して効率化を図ることができる。
【００４６】
図１４，１５は、第３実施形態に係る仮設足場用連結構造体１０Ｂである。この連結構造体１０Ｂでは、くさび部材４０の長溝部４５が、くさび本体４１の支柱側の面に設けられてくさび受け側へ貫通しない凹状溝４５ｂからなる。凹状溝４５ｂは、図１６に示すように、第１実施形態と同様にくさび部材４０の楔着時に連結部材１１の湾曲部２３（３３）の後面が当接され、湾曲部２３（３３）の頂点２３ａ（３３ａ）近傍が凹状溝４５ｂの内部に受容される。そのため、くさび部材４０が挿入時及び楔着時に位置決めされて、がたつきの発生が抑制される。なお、凹状溝４５ｂの溝深さは特に限定されないが、連結部材１１の湾曲部２３（３３）との当接時に湾曲部２３（３３）を十分に受容可能であればよい。
【００４７】
また、連結構造体１０Ｂでは、図１４に示すように、くさび部材４０のくさび本体４１の後端側に抜け止めピン６０を設けてもよい。抜け止めピン６０は、くさび本体４１の連結部材１１の上側片部２１，２１側の面に、上側片部２１，２１間の距離より長くなるように突設される。そのため、例えば連結構造体１０Ｂの連結解除時等において、くさび部材４０を連結部材１１に挿入した場合、抜け止めピン６０は上側部材２０の上側片部２１，２１に係止されて、くさび部材４０の脱落が防止される。
【００４８】
図１７は、第４実施形態に係る仮設足場用連結構造体１０Ｃである。この連結構造体１０Ｃでは、図１８に示すように、くさび部材４０のくさび本体４１の後面に凹状のパイプ受け部４８が形成されているとともに、くさび部材４０のくさび本体４１の先端面に前面側から後面側にかけて先端凹面部４９が形成されている。
【００４９】
パイプ受け部４８は、くさび部材４０のくさび本体４１後面に後端からくさび挿入方向へ直線状に延設された連結パイプＰの外周面に対応して受容可能な凹状の部位からなる。パイプ受け部４８の形状は連結パイプＰの外周面が受容可能であれば特に限定されない。図１７に示す実施形態では、パイプ受け部４８が、貫通溝４５ａと、貫通溝４５ａに連接されるパイプ受け凹面部４８ａとで構成される。このパイプ受け部４８を有するくさび部材４０は、図１７に示す連結解除時において、パイプ受け部４８が連結パイプＰの外周面を受容するように連結パイプＰ上に載置される。そのため、連結解除時にくさび部材４０を連結パイプＰ上に安定して載置させることができ、連結解除状態を維持しやすくなる。
【００５０】
先端凹面部４９は、上側部材２０の上湾曲部２３及び下側部材３０の下湾曲部３３のそれぞれの内部側湾曲面に対応した湾曲面形状からなる。くさび部材４０では、挿入時に連結部材１１の上側部材２０の上湾曲部２３や下側部材３０の下湾曲部３３とくさび本体４１の先端部が接触することがある。そこで、くさび本体４１の先端面に先端凹面部４９を設けることにより、くさび本体４１の先端部の上湾曲部２３やの下湾曲部３３との引っかかりや衝突等が発生しにくくなって、くさび部材４０を円滑に挿入させることができる。
【００５１】
なお、本発明の仮設足場用連結構造体は、前述の実施例のみに限定されるものではなく、発明の趣旨を逸脱しない範囲において構成の一部を適宜に変更して実施することができる。例えば、第１実施形態の連結構造体におけるくさび部材に、第３実施形態の連結構造体におけるくさび部材に設けられた抜け止めピンを設けてることにより、くさび部材の脱落を防止することができる。
【産業上の利用可能性】
【００５２】
以上のとおり、本発明の仮設足場用連結構造体は、支柱に設けられたくさび受けに対して安定的に連結することができる。そのため、従来の仮設足場用連結構造体の代替として有望である。
【符号の説明】
【００５３】
１      支柱
２      円周面
５      くさび受け
６      筒壁面
６ａ    筒側壁部
６ｂ    筒傾斜壁部
７      筒部
１０，１０Ａ，１０Ｂ，１０Ｃ    仮設足場用連結構造体
１１    連結部材
１２    接続片部
１３    傾斜辺部
１５    連結パイプ固定部
１６    パイプ用孔部
２０    上側部材
２１    上側片部
２２    上前当部
２３    上湾曲部
２３ａ  上湾曲部の頂点
２３ｂ  上湾曲部のすそ
２４    垂下部
２５    上連通部
３０    下側部材
３１    下側片部
３２    下前当部
３３    下湾曲部
３３ａ  下湾曲部の頂点
３３ｂ  下湾曲部のすそ
３５    下連通部
４０    くさび部材
４１    くさび本体
４２    直線部
４３    くさび傾斜部
４５    長溝部
４５ａ  貫通溝
４５ｂ  凹状溝
４６    溝縁部
４７    傾斜面
４８    パイプ受け部
４８ａ  パイプ受け凹面部
４９    先端凹面部
５０    抜け止めバンド部
５１    縦帯状部
５２    折曲部
５３    横帯状部
５５    溶接部
６０    抜け止めピン
Ｐ      連結パイプ
Ｐ１    連結パイプの前端
【図１】
2019167811.tif 000003
【図２】
2019167811.tif 000004
【図３】
2019167811.tif 000005
【図４】
2019167811.tif 000006
【図５】
2019167811.tif 000007
【図６】
2019167811.tif 000008
【図７】
2019167811.tif 000009
【図８】
2019167811.tif 000010
【図９】
2019167811.tif 000011
【図１０】
2019167811.tif 000012
【図１１】
2019167811.tif 000013
【図１２】
2019167811.tif 000014
【図１３】
2019167811.tif 000015
【図１４】
2019167811.tif 000016
【図１５】
2019167811.tif 000017
【図１６】
2019167811.tif 000018
【図１７】
2019167811.tif 000019
【図１８】
2019167811.tif 000020
【図１９】
2019167811.tif 000021